(57)【要約】【課題】飛距離を優先した所謂ハイ・フットガイドでは、従来からロー・フットガイド用に採られてきた糸絡み防止案をそのまま適用することができなかった。【解決手段】側方視において、保持環３は側支脚５に対して前方側に倒れており、保持環の水平面投影幅範囲（ｗ０）からの側支脚のはみ出し長さ（ｗ１）は０以上１．０以下であり、正面視において、側支脚の外側輪郭線６と保持環の外周側輪郭線４との接点（ｘ１）は、保持環の下半部の外周側輪郭線の水平最大幅範囲の８０％またはそれより上方の位置にあり、保持環の内周側輪郭線最下点を通る水平線（Ｙ）と側支脚５の外側輪郭線６との交点（ｘ２）は、保持環の外周側輪郭線の水平最大幅範囲の８０％の位置上またはそれより外側にあり、側支脚の外側輪郭線は、交点と接点の間または交点と保持環の水平中心線の間のうち短い方の部分は、交点を通る鉛直線上またはそれより外側にあるよう、ガイド設計する。【選択図】        図２
2008125463.tif 000002
【特許請求の範囲】
【請求項１】
導糸環と、前記導糸環の左右両側から出て下方に延びる左右一対の側支脚と、前記側支脚の下端に連続し、竿体に取付けられる取付部とを備えた釣糸ガイドにおいて、
側方視において、
前記導糸環は前記側支脚に対して前方側に倒れており、
前記導糸環の水平面投影幅範囲からの前記側支脚の前後方向のはみ出し長さは、前記水平面投影幅範囲の長さを１とすると０以上１．０以下であり、
正面視において、
前記側支脚の外側輪郭線と前記導糸環の外周側輪郭線との接点は、前記導糸環の下半部の外周側輪郭線の水平最大幅範囲の８０％またはそれより上方の位置にあり、
前記導糸環の内周側輪郭線最下点を通る水平線と前記側支脚の外側輪郭線との交点は、前記導糸環の外周側輪郭線の水平最大幅範囲の８０％の位置上またはそれより外側にある
ことを特徴とする釣糸ガイド。
【請求項２】
請求項１に記載した釣糸ガイドにおいて、側方視において、水平線に対する導糸環の傾斜角度は４０〜６０°であることを特徴とする釣糸ガイド。
【請求項３】
請求項１または２に記載した釣糸ガイドにおいて、側方視において、導糸環の水平面投影幅範囲からの側支脚の前後方向のはみ出し長さは、前記水平面投影幅範囲の長さを１とすると０．７以下であることを特徴とする釣糸ガイド。
【請求項４】
請求項１から３のいずれかに記載した釣糸ガイドにおいて、側方視において、水平線に対する導糸環の傾斜角度は４５〜５５°であることを特徴とする釣糸ガイド。
【請求項５】
請求項１から４のいずれかに記載した釣糸ガイドにおいて、側方視において、導糸環の水平面投影幅範囲からの側支脚の前後方向のはみ出し長さは、前記水平面投影幅範囲の長さを１とすると０．５以下であることを特徴とする釣糸ガイド。
【請求項６】
請求項１から５のいずれかに記載した釣糸ガイドにおいて、正面視において、側支脚の外側輪郭線が、導糸環の外周側輪郭線の水平最大幅範囲の１１０％の位置上またはそれより内側にあることを特徴とする釣糸ガイド。
【請求項７】
請求項１から６のいずれかに記載した釣糸ガイドにおいて、導糸環は、保持環と前記保持環の内周面に内嵌されたガイドリングとからなることを特徴とする釣糸ガイド。
【請求項８】
請求項１から７のいずれかに記載した釣糸ガイドにおいて、釣糸ガイドがハイ・フットに分類されるものであることを特徴とする釣糸ガイド。
【発明の詳細な説明】
【技術分野】
【０００１】
本発明は、外通し用釣糸ガイドに関するものである。
【背景技術】
【０００２】
近年は、釣糸としてＰＥライン（超高分子量ポリエチレン製マルチフィラメントライン）が販売されているが、このＰＥラインは、従来からあるナイロンラインやフロロカーボンラインに比べて強度が格段に高く、釣糸の主流となりつつある。しかしながら従来からあるモノフィラメントラインと異なり、所謂ブレイデッドラインであるため、張りがなく格段にしなやかな為、従来の釣糸より糸絡みが発生し易くなっており、何らかの糸絡み防止策が求められている。
【０００３】
典型的な糸絡みは、特許文献１に示すように、図１３の略直立タイプの釣糸ガイド１０１を例に挙げて示すように、一旦ガイドリング１０３を通過した釣糸（Ｓ）が保持環１０５の後ろ側に回りこみ、脚部１０７に巻き付いた状態である。
上記のような糸絡みを防止するために、特許文献２に示すように、所謂ロー・フットのガイドでは、釣糸ガイド全体を前方に傾斜させることが提案されている。釣糸ガイド全体を前方に傾斜させた場合には、上記図１３のように糸絡みが一旦発生しても、竿体を適度に振って仕掛けを投げるようにしてやると、脚部に巻き付いていた釣糸は傾斜面上をスムーズに滑り上って終いには前方へ抜けて行く。
【０００４】
【特許文献１】実開昭５９−２６９６９号公報
【特許文献２】特開平１０−１３６８４２号公報
【発明の開示】
【発明が解決しようとする課題】
【０００５】
ところで、釣竿から放出される釣糸の抵抗が大きくなる程仕掛けの飛距離に悪影響を与えることから、抵抗はできるだけ小さいことが望ましいが、そのためには、接触抵抗や収束抵抗を減らす為にガイドリングの内径をできるだけ大きくしたり、釣竿に釣糸が接触するのを防止する為に、脚部を長くしたりしなければならない。
しかしながら、シングル・フットの釣糸ガイドを、釣糸の抵抗を小さくするために、導糸環の内径を大きくしたり、脚部を長くしたりして所謂ハイ・フットに設計すると、今度は脚部の付け根から保持環の頂部までの距離が長くなり、釣糸ガイドの変形が起こり易くなる。
【０００６】
具体的に説明すると、ガイドリングの上部に同じ大きさの力（Ｍ）がかかると、図１４（１）に示すように、略直立タイプで前傾度合いが小さい場合には、脚部の付け根（ｐ）を基点とする曲げモーメント（ｍ１×ｄ１）が発生する。図１４（２）に示すように、前傾度合いが大きい場合には、脚部の付け根（ｐ）を基点とする曲げモーメント（ｍ２×ｄ２）が発生する。距離がｄ１＜ｄ２であり、分力もｍ１＜ｍ２であるから、図１４（１）の直立タイプより、図１４（２）の前傾タイプの方が、曲げモーメントが大きくなり、変形し易くなってしまう。
【０００７】
また、ダブル・フットの釣糸ガイドを、釣糸の抵抗を小さくするために、保持環の内径を大きくしたり、脚部を長くしたりして所謂ハイ・フットに設計すると、今度は脚部の前後方向の長さ（即ち、前脚部の付け根から後脚部の付け根までの長さ）が長くなる。通常、釣糸ガイドは、剛性の大きい材料（例えば、ステンレス鋼）により形成されているため、釣糸ガイドが取り付けられている竿体部分は剛性になる。従って、脚部の前後方向の長さが長くなる程、竿体全体の滑らかな撓みが得られなくなる。
【０００８】
さらに、前傾させた釣竿ガイドでは、シングル・フットでも、ダブル・フットでも、導糸環の内径を大きくしたり、脚部を長くしたりすると、釣糸ガイドの重量が増す。最近の釣竿は軽量かつ高強度を目指しており、竿体自体は非常に軽量化されている。それだけに竿体に取り付ける釣糸ガイドの重量増加でも釣竿のトータル重量に対して無視できず、持ち重り感が増大することになり、ダブルフットタイプでは持ち重り感がなお更増大する。
【０００９】
そのため、特許文献１に示すように、飛距離を優先した所謂ハイ・フットでは、従来からロー・フット用に採られてきた糸絡み防止案をそのまま適用することはできなかった。
それ故、本発明は、上記課題を解決するために、糸絡み防止タイプでありながら、飛距離も犠牲にせず、しかも釣竿の調子や使用感も損ねない、新規な形状の釣糸ガイドを提供することを目的とする。
【課題を解決するための手段】
【００１０】
上記課題を達成するために、請求項１の発明は、導糸環と、前記導糸環の左右両側から出て下方に延びる左右一対の側支脚と、前記側支脚の下端に連続し、竿体に取付けられる取付部とを備えた釣糸ガイドにおいて、側方視において、前記導糸環は前記側支脚に対して前方側に倒れており、前記導糸環の水平面投影幅範囲からの前記側支脚の前後方向のはみ出し長さは、前記水平面投影幅範囲の長さを１とすると０以上１．０以下であり、正面視において、前記側支脚の外側輪郭線と前記導糸環の外周側輪郭線との接点は、前記導糸環の下半部の外周側輪郭線の水平最大幅範囲の８０％またはそれより上方の位置にあり、前記導糸環の内周側輪郭線最下点を通る水平線と前記側支脚の外側輪郭線との交点は、前記導糸環の外周側輪郭線の水平最大幅範囲の８０％の位置上またはそれより外側にあることを特徴とする釣糸ガイドである。
【００１１】
請求項２の発明は、請求項１に記載した釣糸ガイドにおいて、側方視において、水平線に対する導糸環の傾斜角度は４０〜６０°であることを特徴とする釣糸ガイドである。
【００１２】
請求項３の発明は、請求項１または２に記載した釣糸ガイドにおいて、側方視において、導糸環の水平面投影幅範囲からの側支脚の前後方向のはみ出し長さは、前記水平面投影幅範囲の長さを１とすると０．７以下であることを特徴とする釣糸ガイドである。
【００１３】
請求項４の発明は、請求項１から３のいずれかに記載した釣糸ガイドにおいて、側方視において、水平線に対する導糸環の傾斜角度は４５〜５５°であることを特徴とする釣糸ガイドである。
【００１４】
請求項５の発明は、請求項１から４のいずれかに記載した釣糸ガイドにおいて、側方視において、導糸環の水平面投影幅範囲からの側支脚の前後方向のはみ出し長さは、前記水平面投影幅範囲の長さを１とすると０．５以下であることを特徴とする釣糸ガイドである。
【００１５】
請求項６の発明は、請求項１から５のいずれかに記載した釣糸ガイドにおいて、正面視において、側支脚の外側輪郭線が、導糸環の外周側輪郭線の水平最大幅範囲の１１０％の位置上またはそれより内側にあることを特徴とする釣糸ガイドである。
【００１６】
請求項７の発明は、請求項１から６のいずれかに記載した釣糸ガイドにおいて、導糸環は、保持環と前記保持環の内周面に内嵌されたガイドリングとからなることを特徴とする釣糸ガイドである。
【００１７】
請求項８の発明は、請求項１から７のいずれかに記載した釣糸ガイドにおいて、釣糸ガイドがハイ・フットに分類されるものであることを特徴とする釣糸ガイドである。
【発明の効果】
【００１８】
本発明の釣糸ガイドは、糸絡みの防止タイプでありながら、飛距離も犠牲にせず、しかも釣竿の調子や使用感も損ねない。
【発明を実施するための最良の形態】
【００１９】
本発明の第１の実施の形態に係る釣糸ガイド１を、図１〜図５に従って説明する。
図１に示すように、この釣糸ガイド１はハイ・フットおよびシングル・フットに属するものである。
釣糸ガイド１は、１枚の金属製の平面的な板状材から一体的にフレーム状に形成されている。先ずプレス加工により所定のフレーム形状に打ち抜かれ、更に曲げ加工が施されて所定の立体形状に成形されており、保持環３と、一対の側支脚５，５と、取付部７とを備える。
【００２０】
釣糸ガイド１の全体の形状を、図１に従って、概略的に説明する。
保持環３の内周面は略真円形をしており、その内周面には、ガイドリング９が内嵌されている。ガイドリング９は、セラミック等の耐磨耗性に優れた硬質材料で形成されている。
一対の側支脚５，５は、対称形状をなしている。側支脚５，５は、それぞれ保持環３の後側の左右両側から下方に位置する竿体１３に向かって後（竿尻）側に延び出て、適当な高さで合流し、その下端は取付部７に連続している。
取付部７は後側に先細りの舌片形状をなしており、竿体１３の外表面に竿軸に略平行に配向した状態で当接している。
【００２１】
次に、釣糸ガイド１の各部の形状や各部どうしの位置関係を、詳細に説明する。
先ず、側面図（図２）に基づいて説明する。
保持環３と側支脚５は共に傾斜しており、いずれも前方側に倒れている。
保持環３は、側支脚５に対して更に前方側に倒れており、保持環３が側支脚５に対して屈曲した状態になっている。そのため、保持環３の水平面（ｔ）（即ち、釣糸ガイド１が取り付けられた竿体１３の外周面）に対する傾斜度合いは、側支脚５の水平面（ｔ）に対する傾斜度合いより緩やかになっている。保持環３の傾斜角度（θ１）は、従来から糸絡み防止用に前傾させた場合に採用されている範囲の角度であれば先ずはよい。
【００２２】
保持環３を水平面に投影したときの水平面投影幅範囲からの側支脚５の後方のはみ出し長さ（ｗ１）は、水平面投影幅範囲の長さ（ｗ０）：１に対して０（ゼロ）以上１．０以下である。ここで、はみ出し長さ（ｗ１）は、側支脚５が取付部７に連続する地点、即ち付け根（ｐ）までの長さを意味する。この付け根（ｐ）は、
厳密に言えば、側面視において、側支脚５の上側輪郭線１０５と、取付部７の上側輪郭線１０７との交点である。
【００２３】
次に、正面図（図３）に基づいて説明する。
側支脚５の外側輪郭線６と保持環３の外周側輪郭線４との接点（ｘ１）は、保持環３の下半部の外周側輪郭線４と水平最大幅範囲（Ｘ）の８０％の位置を規定する垂線とが交差する高さ位置（ｘ０）またはそれより上方の高さ位置にある。
また、保持環３の上側輪郭線は、一定の範囲で外方に露出している。この露出範囲は、保持環３の上側半円の中心を通る鉛直中心線（Ｅ）と角度（γ）を基準とすると、左右いずれも２５°以上（左右合計で５０°以上）であり、その露出部分が釣糸ガイド１の上側輪郭線をなしている。
「８０％の高さ位置」とは、水平最大幅範囲（Ｘ）を１００％としたときに、その水平最大幅範囲（Ｘ）の中点を中心として均等に内方に縮小して全体の長さを８０％としたときの左右両側の保持環３の外周側輪郭線位置を意味する。
【００２４】
この実施の形態では、保持環３の外周側輪郭線４は略真円形をしているため、「保持環３の下半部」は下側半円部となるが、保持環３の外周側輪郭線４が楕円形の場合には、「保持環３の下半部」には所謂直線部分も含まれる。「保持環３の下半部」は、保持環３の上下方向の長さが等分となる水平中心線（Ｃ）で分割した場合の下半分を意味する。
なお、この実施の形態では、接点（ｘ１）が保持環３の下半部の外周側輪郭線４上にあるが、接点（ｘ１）は水平中心線（Ｃ）上またはそれより上方にあってもよい。
【００２５】
また、ガイドリング９の内周側輪郭線１０の最下点（ｙ）を通る最下水平線（Ｙ）と側支脚５の外側輪郭線６との交点（ｘ２）は、保持環３の外周側輪郭線４の水平最大幅範囲（Ｘ）の８０％の位置、即ち８０％の水平位置（ｘ０）上またはそれより外側の範囲内にある。
なお、側支脚５の外側輪郭線６は、交点（ｘ２）と接点（ｘ１）間が、図３の拡大図に示すように、若干内側に窪んでいても良い。このような窪みは、本実施の形態のように１枚の金属板から立体的な釣糸ガイド１を成形する場合に、釣糸ガイド１の立体デザインによっては不可避的に発生する為である。
【００２６】
上記の条件を満足すると、例え窪みが形成されたとしても、側支脚５の交点（ｘ２）から接点（ｘ１）に至る外周面が所謂助走路１１となり、側支脚５から保持環３へのスムーズな釣糸（Ｓ）の乗り上げと保持環３の頂部方向への滑り上がりを確保できる。
なお、図３では、側支脚５，５の形状として、正面視において、外側に若干膨らんだものが示されているが、この他にも、直線状のもの、内側に凹むものがあり、その中では内側に凹む場合に釣糸が最も保持環３への乗り上がりおよびその後の頂部方向への滑り上がりが難くなるが、内側に凹む場合でも、上記した条件を満足する助走路１１があれば、釣糸（Ｓ）が保持環３の外周面上へスムーズに乗り上がり、そのまま保持環３の外周面を頂部方向へ滑り上がる。
【００２７】
次に、釣糸ガイド１に糸絡みが発生した場合の糸絡みの解消メカニズムを、図４、５に従って説明する。なお、図５では、視認の便宜のため、図１とは前後の向きを変えている。
実釣時には、リール１５から繰り出された釣糸（Ｓ）が釣糸ガイド１のガイドリング９を通って前方に放出される。通常の釣糸（Ｓ）にテンションが掛かっている状態では、釣糸（Ｓ）のライン軌道の上下範囲は、図４に示す矢印範囲になる。
【００２８】
図５（１）に示すように、釣糸（Ｓ）が「糸ふけ」などの原因によりガイドリング９を通った後に後ろ側に回りこみ、側支脚５，５に巻き付いて糸絡みが発生したときには、リール１５側の釣糸（ｓ１）は側支脚５，５に巻き付いた釣糸（ｓ２）により本来のライン軌道より竿体１３側に押し下げられている。
【００２９】
従って、図５（２）に示すように、リール１５を操作し、繰り出した釣糸（Ｓ）にテンション（白抜き矢印）を掛けて巻き戻そうとすると、リール側の釣糸（ｓ１）（実線）には本来のライン軌道に戻ろうとする力、即ち上向きの（Ｆ）（黒矢印）が作用する。
釣糸（ｓ１）に作用する上向きの力（Ｆ）が、側支脚５，５に巻き付こうとする力、厳密には下向きの分力に勝るので、釣糸（ｓ１）は釣糸（ｓ２）を持ち上げながら、自身も上がる。従って、側支脚５，５に巻き付いた釣糸（ｓ２）は、点線位置から実線位置まで側支脚５，５の傾斜面を滑り上がり、接点（ｘ１）まで到達する。
【００３０】
側支脚５，５の傾斜面を滑り上ってきた釣糸（ｓ２）は、図５（３）に示すように、そのままスムーズに保持環３の外周面に乗り上げる。
なお、側支脚５，５の外側輪郭線６，６が上記した条件をいずれか１つでも満足しない場合には、釣糸（ｓ２）は側支脚５，５から保持環３に乗り上がることができず、接点（ｘ１）または側支脚５の凹み部で締まってしまう。
【００３１】
釣糸（ｓ２）が保持環３の外周面に乗り上がった後は、釣糸（Ｓ）に掛かっているテンションの作用により、図５（４）〜（７）に示すように、釣糸（ｓ２）は保持環３の緩やかな傾斜外周面上をスムーズに滑り上がり、その前上方に抜け出す。
以上のメカニズムにより、糸絡みは解消される。
【００３２】
次に、釣糸ガイド１の強度特性を、図２に従って説明する。
所謂シングル・フットでは、側支脚５の付け根（ｐ）を基点とする曲げモーメントの大きさが強度に影響するが、この釣竿ガイド１は、側方視における側支脚５のはみ出しを小さく設定でき、曲げモーメントの大きさに影響する付け根（ｐ）から保持環３の頂部までの距離（ｄ３）は、側支脚５を保持環３と一体に（即ち、途中で屈曲させずに）前傾させた場合の距離（ｄ０）よりも短い。
また、上記距離同様曲げモーメントに大きく関わる、保持環頂部と付け根（ｐ）を結んだ線と水平面（ｔ）とのなす角度（θ２）も、側支脚５を保持環３と一体に（即ち、途中で屈曲させずに）前傾させた場合の水平面（ｔ）とのなす角度（θ１）より大きい。
従って、釣竿ガイド１は糸絡み防止タイプでありながら、曲げモーメントは小さく、フレーム状の釣竿ガイド１は変形し難い。
【００３３】
また、釣糸ガイド１は、ハイ・フットではあるが、側支脚５は保持環３に対して屈曲して傾斜角度を大にしており、保持環３から側支脚５に至るフレーム部の全長は、屈曲させない場合と比べて短くなっており、その分ハイ・フットにしたことに伴う重量の増加分が抑えられている。
【００３４】
釣糸ガイド１の、側方視における、水平線（ｔ）に対する保持環３の傾斜角度（θ１）は４０〜６０°の範囲内が好ましい。この範囲内であれば、竿体１３を特に振らなくとも、釣糸（ｓ２）は保持環３の頂部から確実に抜け出せるからである。
傾斜角度（θ１）は４５〜５５°の範囲内であればより好ましい。この範囲内であれば、釣糸（ｓ２）は保持環３からスムーズに抜け出せると共に、釣糸放出時の抵抗を低減させられるからである。これは、リングを傾斜させると見かけの内径が縮径する為である。
【００３５】
釣糸ガイド１の、側方視における、保持環３の水平面投影幅範囲からの側支脚５の後方のはみ出し長さ（ｗ１）は、水平面投影幅範囲の長さ（ｗ０）を１とすると０．７以下の範囲内であれば好ましい。この範囲内であれば、曲げモーメントの大きさをより一層小さくできるからである。
はみ出し長さ（ｗ１）は０．５以下の範囲内であればより好ましい。この範囲内であれば、曲げモーメントの大きさをより一層小さくできるからである。
【００３６】
釣糸ガイド１は、図６に示すように、正面視において、側支脚５，５の外側輪郭線６，６が、保持環３の外周側輪郭線４の水平最大幅範囲（Ｘ）の１１０％の位置上またはそれより内側にあれば好ましい。「１１０％の位置」とは、水平最大幅範囲（Ｘ）を１００％としたときに、その水平最大幅範囲（Ｘ）の中点を中心として均等に外方に拡大して全体の長さを１１０％としたときの左右両側のエッジ位置を意味する。
本実施の形態のように、釣糸ガイド１が１枚の金属板から立体形成されたときに、側支脚５を保持環３の水平中心線（Ｃ）または上半部から出すと、正面視において、側支脚５，５の外側輪郭線６，６が保持環３の外周側輪郭線４より不可避的に外側に膨らむが、このような場合でも膨らみ度合いが上記した範囲内であれば、側支脚５，５の傾斜面を滑り上ってきた釣糸（ｓ２）は、助走路１１を経由して、そのままスムーズに保持環３の外周面に一層スムーズに乗り上がれるからである。
【００３７】
第２の実施の形態に係る釣糸ガイド２１について、図７の側面図に従って説明する。
第１の実施の形態に係る釣糸ガイド１の構成と同じ構成部分は、同じ符号を付すことで説明を省略し、相違点についてのみ以下に説明する。
この釣糸ガイド２１は、釣糸ガイド１と同じシングル・フットおよびハイ・フットであるが、側支脚２３が前方に傾斜して取付部２５に移行しており、保持環３の水平面投影幅範囲から前向にはみ出している。側支脚２３のはみ出し長さ（ｗ２）は、水平面投影幅範囲の長さ（ｗ０）：１に対して０（ゼロ）以上１．０以下である。
【００３８】
側支脚２３の外周面上の釣糸（ｓ２）の滑り上りは上向きの力（Ｆ）を利用しているので、側支脚２３の傾斜方向の向きは、関係ない。釣糸ガイド１の側支脚５の傾斜方向とは異なるが、問題なく釣糸（ｓ２）は側支脚２３上をスムーズに滑り上がる。
また、この釣竿ガイド２１も、側方視における側支脚２３の上側輪郭線１２３と取付部２５の上側輪郭線１２５とに関連付けられたはみ出し条件を満たしており、曲げモーメントの大きさに影響する付け根（ｐ）から保持環３の頂部までの距離（ｄ４）は、側支脚５を保持環３と一体に（即ち、途中で屈曲させずに）前傾させた場合の仮想線で示す距離（ｄ０）よりも短い。そして、上記距離同様曲げモーメントに大きく関わる、保持環頂部と付け根（ｐ）を結んだ線と水平面（ｔ）とのなす角度（θ２）も、側支脚５を保持環３と一体に（即ち、途中で屈曲させずに）前傾させた場合の水平面（ｔ）とのなす角度（θ１）より大きい。
従って、釣竿ガイド１は糸絡み防止タイプでありながら、曲げモーメントは小さく、ハイ・フレームでありながら釣竿ガイド２１は変形し難い。
【００３９】
保持環３の傾斜角度（θ１）、保持環３の水平面投影幅範囲からの側支脚２３，２３の前方のはみ出し長さ（ｗ２）、側支脚２３，２３の最大膨らみ度合いに関しては、釣糸ガイド２１にも釣糸ガイド１と同様に適用され、同様に有利な効果を享受する。以下の実施の形態でも、同様である。
【００４０】
第３の実施の形態に係る釣糸ガイド３１について、図８から図９に従って説明する。
第１の実施の形態に係る釣糸ガイド１の構成と同じ構成部分は、同じ符号を付すことで説明を省略し、相違点についてのみ以下に説明する。
図８に示すように、釣糸ガイド３１の保持環３の外周面の最下部から中央支脚３３が延び出ており、この中央支脚３３の先端は取付部３５に連続している。即ち、釣糸ガイド３１はダブル・フットに属するものである。
【００４１】
中央支脚３３の存在は、糸絡み時における釣糸（Ｓ）の移動軌道に実質的な影響は与えない。
従って、この釣糸ガイド３１も、釣糸ガイド１と同様の糸絡み解消効果が得られる。
【００４２】
また、支脚５、３３の前後の長さ（Ｌ）、即ち、側支脚５の付け根（ｐ）と中央支脚３３の付け根（ｑ）との間の距離は、竿体１３の撓み性に影響を与えるが、釣糸ガイド１は、ハイ・フットではあるが、側支脚５は保持環３に対して屈曲して傾斜角度を大にしており、側支脚５の後方へのはみ出し長さ（ｗ１）は第１の実施の形態に関して説明したように短くなっている。即ち、支脚５、３３の前後の長さ（Ｌ）は、屈曲させない場合と比べて短くなっている。そのため、その分ハイ・フットにしたことに伴う長さ（Ｌ）の増加分が抑えられている。
なお、中央支脚３３の付け根（ｑ）は、側面視において、中央支脚３３の上側輪郭線１３３と、取付部３５の上側輪郭線１３５との交点である。
糸絡み解消のメカニズムも、図９に示すとおり、図５に示すシングル・フットのものと同じである。
【００４３】
第４の実施の形態に係る釣糸ガイド４１について、図１０に従って説明する。
第２の実施の形態に係る釣糸ガイド２１の構成と同じ構成部分は、同じ符号を付すことで説明を省略し、相違点についてのみ以下に説明する。
図１０に示すように、釣糸ガイド４１の保持環３の外周面の最下部から中央支脚４３が延び出ており、この中央支脚４３の先端は取付部４５に連続している。即ち、釣糸ガイド４１はダブル・フットに属するものである。
この釣糸ガイド４１も、釣糸ガイド２１と同様の効果が得られる。
【００４４】
第５の実施の形態に係る釣糸ガイド５１について、図１１に従って説明する。
この釣糸ガイド５１は、側支脚５３，５３が合流せず、分離したまま取付部５５，５５にそれぞれ連続している。このような形状の側支脚５３でも、上記した側方視および正面視における形状の条件を満足する限りは、第１の実施の形態に係る釣糸ガイド１と同様の効果が得られる。
【００４５】
第６の実施の形態に係る釣糸ガイド６１について、図１２に従って説明する。
この釣糸ガイド６１は、側支脚６３が環状（所謂スリップ・オン）になっている。このような形状の側支脚６３でも、上記した側方視および正面視における形状の条件を満足する限りは、第１の実施の形態に係る釣糸ガイド１と同様の効果が得られる。
【００４６】
以上、本発明の実施の形態を説明したが、本発明の具体的構成は上記の実施の形態に限定されるものではなく、本発明の要旨から外れない範囲での設計変更があっても本発明に含まれる。
例えば、釣糸の導糸環は保持環の内周面に別部材である硬質のガイドリングが内嵌めされたものになっているが、所望の強度・硬度が確保されるものであれば、単一部材で構成してもよい。
釣糸ガイドの種類はハイ・フットの場合により有用であるが、これに限定されるわけではない。
【００４７】
接点（ｘ１）は保持環３の水平中心線（Ｃ）上またはそれより下にあっても、釣糸（ｓ２）は十分に滑り上げることができるので、側支脚は保持環の上半部から出させる必要は必ずしもない。保持環３の前傾姿勢を積極的に利用するためには、むしろ、図３に示すように、正面視において、ガイドリング５の上側半円の中心を通る鉛直中心線（Ｅ）と角度（γ）を基準とすると、左右いずれも２５°以上（左右合計で５０°以上）、好ましくは３５°以上（左右合計で７０°以上）、保持環３の上側輪郭線が外方に露出しておいた方、即ち、正面視において、保持環３の上側輪郭線が釣糸ガイド１の上側輪郭線をなしていた方がよい。
側支脚は必ずしも傾斜する必要はないが、保持環３が傾斜しているため、現在の釣糸ガイドの竿体への糸を使用した取り付け方法を利用している限りは、前後のいずれかの方向に傾斜することになる。
いずれにしても、特許請求されている事項を除いては、従来からあるまたは将来案出される形状や素材や製造方法を任意に組み合わせることができる。
【産業上の利用可能性】
【００４８】
本発明の釣糸ガイドを装着した釣竿を使用すれば、ＰＥラインを使用しても、糸絡みが防止され、飛距離も犠牲にせず、しかも釣竿の調子や使用感も損ねない。
従って、釣人が待ちに待っていた商品である。
【図面の簡単な説明】
【００４９】
【図１】本発明の第１の実施の形態に係る釣竿ガイドの斜視図である。
【図２】図１の釣糸ガイドの側面図である。
【図３】図１の釣竿ガイドの正面図である。
【図４】図１の釣糸ガイドの実釣時の状態図である。
【図５】図１の釣糸ガイドの糸絡み解除メカニズムの説明図である。
【図６】図１の釣糸ガイドの改変例の釣糸ガイドの正面図である。
【図７】本発明の第２の実施の形態に係る釣竿ガイドの側面図である。
【図８】本発明の第３の実施の形態に係る釣竿ガイドの側面図である。
【図９】図７の釣糸ガイドの糸絡み解除メカニズムの説明図である。
【図１０】本発明の第４の実施の形態に係る釣竿ガイドの側面図である。
【図１１】本発明の第５の実施の形態に係る釣竿ガイドの斜視図である。
【図１２】本発明の第６の実施の形態に係る釣竿ガイドの斜視図である。
【図１３】従来の釣糸ガイドの斜視図である。
【図１４】釣糸ガイドに発生する曲げモーメントの説明図である。
【符号の説明】
【００５０】
１‥‥釣糸ガイド（第１の実施の形態）                  
３‥‥保持環                              ４‥‥外周側輪郭線
５‥‥側支脚                              ６‥‥外側輪郭線
７‥‥取付部                  
９‥‥ガイドリング                      １０‥‥内周側輪郭線
１１‥‥助走路
１３‥‥竿体                              １５‥‥リール
２１‥‥釣糸ガイド（第２の実施の形態）    ２３‥‥側支脚
３１‥‥釣糸ガイド（第３の実施の形態）    ３３‥‥中央支脚
３５‥‥取付部
４１‥‥釣糸ガイド（第４の実施の形態）    ４３‥‥中央支脚
４５‥‥取付部
５１‥‥釣糸ガイド（第５の実施の形態）    ５３‥‥側支脚
５５‥‥取付部
６１‥‥釣糸ガイド（第６の実施の形態）    ６３‥‥側支脚
Ｓ、ｓ１、ｓ２‥‥釣糸
ｔ‥‥水平面                              θ‥‥傾斜角度
ｐ、ｑ‥‥付け根
ｗ０‥‥水平面投影幅範囲                  ｗ１、ｗ２‥‥はみ出し長さ
Ｃ‥‥水平中心線
Ｘ‥‥水平面最大幅範囲
ｘ１‥‥接点                              ｘ２‥‥交点
Ｙ‥‥最下水平面                          ｙ‥‥最下点
Ｚ‥‥鉛直線
ｄ０、ｄ３、ｄ４‥‥曲げモーメントの距離
Ｌ‥‥ダブル・フットの支脚の前後の長さ
Ｆ‥‥上方に働く力
【図１】
2008125463.tif 000003
【図２】
2008125463.tif 000004
【図３】
2008125463.tif 000005
【図４】
2008125463.tif 000006
【図５】
2008125463.tif 000007
【図６】
2008125463.tif 000008
【図７】
2008125463.tif 000009
【図８】
2008125463.tif 000010
【図９】
2008125463.tif 000011
【図１０】
2008125463.tif 000012
【図１１】
2008125463.tif 000013
【図１２】
2008125463.tif 000014
【図１３】
2008125463.tif 000015
【図１４】
2008125463.tif 000016